(57)【特許請求の範囲】
【請求項１】
構内交換装置又は主装置（１）にそれぞれ単独電話機インターフェース（４ａ，４ｂ〜４ｎ）を介して複数の単独電話機（２ａ，２ｂ〜２ｎ）が接続される構内交換機及びボタン電話装置において、単独電話機インターフェース（４ａ，４ｂ〜４ｎ）はそれぞれ接続されている単独電話機（２ａ，２ｂ〜２ｎ）からのダイヤル信号を検出するダイヤル検出手段（６ａ，６ｂ〜６ｎ）を備え、装置（１）は更に単独電話機（２ａ，２ｂ〜２ｎ）のそれぞれについて単独電話機接続ステータスを記憶する記憶手段（１１）と、ダイヤル検出手段（６ａ，６ｂ〜６ｎ）からの信号を基に前記記憶手段（１１）の記憶する単独電話機接続ステータスを変更する判断手段（１０）とを備え、単独電話機（２ａ，２ｂ〜２ｎ）の接続の有無を自動的に検出することを特徴とする構内交換機及びボタン電話装置。
【発明の詳細な説明】
【０００１】
【産業上の利用分野】
本発明は構内交換装置又は主装置１に単独電話機２ａ，２ｂ〜２ｎや非単独電話機が接続される構内交換機又はボタン電話装置に関し、特に単独電話機の接続の有無を設置者がハードウエアまたはソフトウエアを設定することなく自動的に判断する構内交換機又はボタン電話装置に関する。
【０００２】
【従来の技術】
従来、この種の構内交換機又はボタン電話装置の構内交換装置あるいは主装置１には単独電話機２ａ，２ｂ〜２ｎあるいは、非単独電話機等が接続されているが、非単独電話機の場合、通話線とデータ線を有していて、構内交換装置又は主装置１との間で比較的自由に情報の交換を行うことができるため、構内交換装置又は主装置１は非単独電話機の接続を容易に確認することができる。一方、単独電話機２ａ，２ｂ〜２ｎの場合、通常構内交換装置あるいは主装置１との間でダイヤル信号以外の情報交換を行うことができないため、単独電話機の接続の有無を構内交換装置又は主装置１が認識することが困難であった。また、非単独電話機の場合、着信の呼出は構内交換装置又は主装置１がデータ線により、対応する非単独電話機にリンガー信号に相当するデータを送るだけで済むが、単独電話機２ａ，２ｂ〜２ｎの場合は実際にリンガー信号を作成して通話線３ａ，３ｂ〜３ｎより対応する単独電話機２ａ，２ｂ〜２ｎに対して送出し、同時に発呼者に対し呼出中であることを通知するためのリングバックトーンを送出する必要がある、また単独電話機の接続が無い場合は発呼者にリングバックトーン以外のトーンを送出し、電話機の接続が無いことを通知する必要があり、かかる点からも単独電話機２ａ，２ｂ〜２ｎの有無を確認する必要があった。そこで、従来は単独電話機２ａ，２ｂ〜２ｎの接続の有無を設置者がハードウエアまたはソフトウエアを変更して設定していた。すなわち、例えば構内交換装置あるいは主装置１の単独電話機インターフェース４ａ，４ｂ〜４ｎの通話線３ａ，３ｂ〜３ｎのコネクターの近傍あるいは設定しやすい箇所にスイッチを設け、これにより接続の有無を設定したり、設置の際に接続の有無をソフトウエアを設置者が変更することにより設定していた。
【０００３】
【発明が解決しようとする課題】
しかし、ハードウエアによる設定の場合、設定者が設定方法を知らない場合は設定できず、設定を間違う恐れもあり、設定に時間が掛かるという不都合を生ずる。
また、ソフトウエアの変更による場合、通常非単独電話機等の端末装置からのキー操作により行うため、作業性が悪く、操作が煩雑で作業に時間が掛かり、しかも、設定方法を知らなければできず、設定間違いを生ずる恐れもある。
【０００４】
本発明は上記問題点に鑑みなされたもので、その目的とするところは、単独電話機２ａ，２ｂ〜２ｎの接続の有無を設置者がハードウエアまたはソフトウエアを変更して設定することなく、自動的に単独電話の接続の有無を判断する構内交換機又はボタン電話装置を提供することにある。
【０００５】
【課題を解決するための手段】
上記課題を解決するために本発明は、構内交換装置又は主装置１にそれぞれ単独電話機インターフェース４ａ，４ｂ〜４ｎを介して複数の単独電話機２ａ，２ｂ〜２ｎが接続される構内交換機及びボタン電話装置において、単独電話機インターフェース４ａ，４ｂ〜４ｎはそれぞれ接続されている単独電話機２ａ，２ｂ〜２ｎからのダイヤル信号を検出するダイヤル検出手段６ａ，６ｂ〜６ｎを備え、装置１は更に単独電話機２ａ，２ｂ〜２ｎのそれぞれについて単独電話機接続ステータスを記憶する記憶手段１１と、ダイヤル検出手段６ａ，６ｂ〜６ｎからの信号を基に前記記憶手段１１の記憶する単独電話機接続ステータスを変更する判断手段１０とを備え、単独電話機２ａ，２ｂ〜２ｎの接続の有無を自動的に検出することとした。
【０００６】
【作用】
単独電話機インターフェース４ａ，４ｂ〜４ｎについて単独電話機２ａ，２ｂ〜２ｎの接続状態を示す記憶手段１１の単独電話接続ステータスの内容を、初期値として接続のない状態を示す“無し”とセットしておく。そして判断手段１０は各単独電話機インターフェース４ａ，４ｂ〜４ｎのダイヤル検出手段６ａ，６ｂ〜６ｎを監視して、有効ダイヤルの全て又は一部を検出したと判断した時点でその単独電話機インターフェース４ａ，４ｂ〜４ｎに対応する記憶手段１１の接続状態を示す単独電話接続ステータスの内容を接続のない状態を示す“無し”から接続のある状態を示す“有り”へ変更し、以後はこの記憶手段を参照することで接続されていると判断できる。
【０００７】
【実施例】
次に図に基づいて本発明の一実施例について説明する。図１は本発明の一実施例の基本構成を示した図である。
図中１は構内交換機あるいはボタン電話装置における構内交換装置又は主装置を表わしている。２ａ，２ｂ〜２ｎはこの構内交換装置又は主装置１に接続される単独電話機でＤＰダイヤル方式と、ＤＴＭＦ（ＰＢ）ダイヤル方式のものがある。３ａ，３ｂ〜３ｎはこれら各単独電話機２ａ，２ｂ〜２ｎの通話線、４ａ，４ｂ〜４ｎは各単独電話機２ａ，２ｂ〜２ｎが接続されるための単独電話機インターフェースである。６ａ，６ｂ〜６ｎは、各単独電話機からのダイヤル信号を、検出線７ａ，７ｂ〜７ｎを介して検出するダイヤル検出手段で、例えばフォトカプラやリレーあるいはＤＴＭＦディテクターＩＣ等で構成され、ダイヤル信号を一定の信号に変換する。１０はダイヤル検出手段６ａ，６ｂ〜６ｎからの信号を信号線８ａ，８ｂ〜８ｎを介して受取り、単独電話機２ａ，２ｂ〜２ｎの接続の有無を判断し、記憶手段１１の内容を変更する判断手段で、例えば構内交換装置又は主装置１の制御用ＣＰＵ等により構成される。１１はこの判断手段１０によって各単独電話機インターフェース４ａ，４ｂ〜４ｎに対応して単独電話機２ａ，２ｂ〜２ｎの接続の状態を単独電話接続ステータスとして設定できる記憶手段で例えば上記制御用ＣＰＵのレジスタあるいは主記憶装置等のＲＡＭによって構成される。
【０００８】
しかして、単独電話機２ａは通話線３ａにより構内交換装置又は主装置１に単独電話機インターフェース４ａを介して接続されるとともに図示しない構内交換装置又は主装置１内の通話線路へと接続されている。また、単独電話機インターフェース４ａ内にはダイヤル検出手段６ａがあって、検出線７ａにより通話線３ａと接続されるとともにその出力は、信号線８ａにより判断手段１０に接続される、他の単独電話機２ｂ〜２ｎも同様にして接続されている。また、判断手段１０は、記憶手段１１と接続している。
【０００９】
次に本発明の動作について説明する。
初期状態では、各単独電話機インターフェース４ａ，４ｂ〜４ｎに接続されている単独電話機２ａ，２ｂ〜２ｎの有無が不明であるので対応する記憶手段１１の単独電話接続ステータスは全て“無し”となっている。今、単独電話機２ａがオフフックとなりフックスイッチがＯＮとなってダイヤル信号が送出されるとダイヤル信号が通話線３ａに流れる。そして、検出線７ａを介してダイヤル検出手段６ａにより検出され、ダイヤル検出手段６ａはこれを所定の信号、例えば一定の電圧値に変換して信号線８ａを介して判断手段１０へ送出する。判断手段１０はこの信号が所定の条件、例えば有効なダイヤルの全て或いは一部を満足しているか否か判断し、満足している場合には、単独電話機２ａが接続されていると判断し、記憶手段１１の対応する単独電話機ステータスを“無し”から“有り”へ変更する。
このようにして他の単独電話機２ｂ〜２ｎの接続の有無も判断される。
【００１０】
【発明の効果】
以上のように本発明によれば単独電話機２ａ、２ｂ〜２ｎの接続の有無を自動的に検出することとしたので、構内交換機又はボタン電話装置の設置の際等に設置者によるハードウェア又はソフトウェアによる単独電話機の接続の有無の設定が不要となり、設置者は設定方法に関する知識が不要となり、設定間違いの恐れもなく、設定時間が短縮され、作業効率が向上し、コスト低減にもなるという効果を有する。
【図面の簡単な説明】
【図１】  本発明の一実施例の基本構成を示した図
【符号の説明】
１    構内交換装置又は主装置
２ａ，２ｂ〜２ｎ    単独電話機
３ａ，３ｂ〜３ｎ    通話線
４ａ，４ｂ〜４ｎ    単独電話機インターフェース
６ａ，６ｂ〜６ｎ    ダイヤル検出手段
８ａ，８ｂ〜８ｎ    信号線
１０    判断手段
１１    記憶手段
【図１】
0003750748.tif 000002